(57)【要約】  向流型（丸形）及び直交流型（角形）のいずれの冷却塔にも適用可能であり、固形水処理剤の有効成分を長期間にわたって徐放することができ、しかも、取り扱い上の簡便性や利便性にも優れた、冷却塔内で用いられる固形水処理剤用容器及びこれを備えた容器セット、また、前記容器又は前記容器セットを用いた水処理方法を提供する。  固形水処理剤用容器１０は、冷却塔内に配置される固形水処理剤用容器であって、容器本体１１と、容器本体１１の内部を、固形水処理剤Ｓ１を収容する１つ以上の収容室１３と、固形水処理剤Ｓ１を収容しない非収容室１４とに区画する区画壁１２とを備え、容器本体１１は、該容器本体１１の外部と非収容室１４との間を冷却水が流通可能な１つ以上の容器連通路１５を有し、区画壁１２は、収容室１３と非収容室１４との間を冷却水が流通可能な１つ以上の区画壁連通路１６を有する。
2018038090.tif 000002
【特許請求の範囲】
【請求項１】
冷却塔内に配置される固形水処理剤用容器であって、
容器本体と、前記容器本体の内部を、前記固形水処理剤を収容する１つ以上の収容室と、前記固形水処理剤を収容しない非収容室とに区画する区画壁とを備え、
前記容器本体は、該容器本体の外部と前記非収容室との間を冷却水が流通可能な１つ以上の容器連通路を有し、
前記区画壁は、前記収容室と前記非収容室との間を冷却水が流通可能な１つ以上の区画壁連通路を有する、固形水処理剤用容器。
【請求項２】
前記区画壁が、上下方向に延在した筒状体である、請求項１に記載の固形水処理剤用容器。
【請求項３】
前記区画壁連通路の少なくとも１つが、前記容器本体の底面まで延在している、請求項１又は２に記載の固形水処理剤用容器。
【請求項４】
前記容器連通路の少なくとも１つが、前記容器本体の天部にある、請求項１〜３のいずれか１項に記載の固形水処理剤用容器。
【請求項５】
前記容器連通路の少なくとも１つが、前記容器本体の側周部にある、請求項１〜４のいずれか１項に記載の固形水処理剤用容器。
【請求項６】
前記容器連通路の少なくとも１つが、前記容器本体の底部にある、請求項１〜５のいずれか１項に記載の固形水処理剤用容器。
【請求項７】
前記容器本体の底部外壁に脚部が突設されている、請求項６に記載の固形水処理剤用容器。
【請求項８】
前記固形水処理剤が錠剤である、請求項１〜７のいずれか１項に記載の固形水処理剤用容器。
【請求項９】
前記容器本体及び前記区画壁が透明性を有する、請求項１〜８のいずれか１項に記載の固形水処理剤用容器。
【請求項１０】
請求項１〜９のいずれか１項に記載の１つ以上の固形水処理剤用容器と、前記容器を個々に嵌め込み保持することが可能な貫通孔が設けられた枠体とを備えた固形水処理剤用容器セットであって、
前記枠体は、該枠体に保持された前記容器の前記容器連通路が露出するように形成されている、固形水処理剤用容器セット。
【請求項１１】
前記枠体は、前記容器の少なくとも天部外壁が水面上に露出するように、該容器を水面に浮上保持可能な部材からなる、請求項１０に記載の固形水処理剤用容器セット。
【請求項１２】
請求項１〜９のいずれか１項に記載の固形水処理剤用容器を用いた水処理方法であって、
冷却塔内に、前記固形水処理剤を前記収容室内に収容した前記容器を、落下する冷却水が前記容器の天部外壁に当たるように配置し、
前記冷却水が前記容器連通路を通って前記非収容室内に流入した後、前記非収容室内から前記区画壁流通路を通って前記収容室内に流入し、
前記収容室内に流入した冷却水と接触した前記固形水処理剤が溶出し、
前記固形水処理剤が溶出した冷却水が前記容器連通路を通って前記容器外へ流出することにより、冷却塔内の冷却水の水処理を行う、水処理方法。
【請求項１３】
前記冷却塔内に消音マットが配置され、前記容器が前記消音マット上に載置される、請求項１２に記載の水処理方法。
【請求項１４】
請求項１〜９のいずれか１項に記載の固形水処理剤用容器を用いた水処理方法であって、
冷却塔内の冷却水ピット内の冷却水の水面上に、前記固形水処理剤を前記収容室内に収容した前記容器を、該容器の少なくとも天部外壁が水面上に露出するように浮かせ、
前記冷却水が前記容器連通路を通って前記非収容室内に流入した後、前記非収容室内から前記区画壁流通路を通って前記収容室内に流入し、
前記収容室内に流入した冷却水と接触した前記固形水処理剤が溶出し、
前記固形水処理剤が溶出した冷却水が前記容器連通路を通って前記容器外へ流出することにより、冷却塔内の冷却水の水処理を行う、水処理方法。
【請求項１５】
請求項１０又は１１に記載の固形水処理剤用容器セットを用いた水処理方法であって、
冷却塔内に、前記固形水処理剤を前記収容室内に収容した前記容器セットを、落下する冷却水が前記容器の天部外壁に当たるように配置し、
前記冷却水が前記容器連通路を通って前記非収容室内に流入した後、前記非収容室内から前記区画壁流通路を通って前記収容室内に流入し、
前記収容室内に流入した冷却水と接触した前記固形水処理剤が溶出し、
前記固形水処理剤が溶出した冷却水が前記容器連通路を通って前記容器外へ流出することにより、冷却塔内の冷却水の水処理を行う、水処理方法。
【請求項１６】
前記冷却塔内に消音マットが配置され、前記容器セットが前記消音マット上に載置される、請求項１５に記載の水処理方法。
【請求項１７】
請求項１１に記載の固形水処理剤用容器セットを用いた水処理方法であって、
冷却塔内の冷却水ピット内の冷却水の水面上に、前記固形水処理剤を前記収容室内に収容した前記容器セットを、前記容器の少なくとも天部外壁が水面上に露出するように浮かせ、
前記冷却水が前記容器連通路を通って前記非収容室内に流入した後、前記非収容室内から前記区画壁流通路を通って前記収容室内に流入し、
前記収容室内に流入した冷却水と接触した前記固形水処理剤が溶出し、
前記固形水処理剤が溶出した冷却水が前記容器連通路を通って前記容器外へ流出することにより、冷却塔内の冷却水の水処理を行う、水処理方法。
【請求項１８】
請求項１２〜１４のいずれか１項に記載の水処理方法において、
ハロゲン系酸化剤の固形剤（Ａ）を固形水処理剤として収容した１つ以上の前記固形水処理剤用容器と、前記ハロゲン系酸化剤との反応性を有する有機系殺菌剤を含む固形剤（Ｂ）を固形水処理剤として収容した１つ以上の前記固形水処理用容器とを併用する、水処理方法。
【請求項１９】
前記ハロゲン系酸化剤が、有効成分として１−ブロモ−３−クロロ−５，５−ジメチルヒダントインを含み、前記有機系殺菌剤が、有効成分として５−クロロ−２−メチル−４−イソチアゾリン−３−オンを含む、請求項１８に記載の水処理方法。
【請求項２０】
請求項１５〜１７のいずれか１項に記載の水処理方法において、
ハロゲン系酸化剤の固形剤（Ａ）を固形水処理剤として収容した１つ以上の前記固形水処理剤用容器と、前記ハロゲン系酸化剤との反応性を有する有機系殺菌剤を含む固形剤（Ｂ）を固形水処理剤として収容した１つ以上の前記固形水処理用容器とを有する固形水処理剤用容器セットを用いる、水処理方法。
【請求項２１】
前記ハロゲン系酸化剤が、有効成分として１−ブロモ−３−クロロ−５，５−ジメチルヒダントインを含み、前記有機系殺菌剤が、有効成分として５−クロロ−２−メチル−４−イソチアゾリン−３−オンを含む、請求項２０に記載の水処理方法。
【発明の詳細な説明】
【技術分野】
【０００１】
本発明は、空調や冷房設備における冷却塔の冷却水の腐食やスケール、細菌の発生を抑制するための固形水処理剤を収容して溶出させるのに用いられる固形水処理剤用容器及びこれを備えた容器セット、並びにこれらを用いた水処理方法に関する。
【背景技術】
【０００２】
空調や冷房設備における冷却水は、循環水であるため、腐食やスケール、細菌の発生等による水質の低下により、空調や冷房設備の運転に支障をきたす場合もある。このような水質の低下を抑制するために、従来から、冷却水に水処理剤を添加することが行われている。
水処理剤としては、長期間にわたって薬剤効果を持続させる観点から、液体の薬剤を使用し、薬注ポンプ等を用いて被処理水系に連続的に注入することにより添加することが主流となっているが、取り扱いやコストの点からは、固形薬剤の方が利便性に優れている。【０００３】
冷却水に添加する固形薬剤としては、例えば、特許文献１に、長期間にわたって薬剤効果を持続させる観点から、有効成分が水系に徐々に放出される、徐溶性を有する固形水処理剤が提案されている。【０００４】
また、特許文献２には、冷却塔が向流型（丸形）であっても、直交流型（角形）であっても固形薬剤を添加できるように、通水性の対向した通水面を有する容器に固形薬剤を入れて使用することが記載されている。【０００５】
また、特許文献３には、第１通水孔が形成された内筒体を、該内筒体をほとんど隙間なく挿通させ、第２通水孔が形成された外筒体に対して周方向に移動させることにより、連通孔の開閉度合いを調整する固形薬剤溶解装置が記載されている。
【先行技術文献】
【特許文献】
【０００６】
【特許文献１】特開２０１５−９３２６０号公報
【特許文献２】特開昭６３−２５２５９７号公報
【特許文献３】実用新案登録第３１７３５４０号公報
【発明の概要】
【発明が解決しようとする課題】
【０００７】
上記特許文献１に記載されたような固形薬剤を用いた場合であっても、剥き出しのまま冷却塔に添加した場合、冷却水の浸漬の程度によっては、冷却塔内に溶け残った状態で残存したり、高濃度の溶出液が冷却塔内に付着した状態となる等、冷却水系において局所的に固形薬剤の有効成分が高濃度となることがあった。このような場合、有効成分の種類によっては、冷却塔内の腐食を引き起こすおそれもある。【０００８】
また、上記特許文献２に記載されたような容器によれば、固形薬剤の取り扱いが容易となるものの、水に溶けやすい固形薬剤を用いる場合には、長期間にわたって有効成分を徐々に放出させることはできなかった。このため、この容器に入れて、有効成分を徐々に放出させるようにして使用可能な固形薬剤の種類には制限があった。【０００９】
また、上記特許文献３に記載されているような装置は、被処理水の流水量や流速等の状況の変動に応じて、固形薬剤の溶解速度を調整するために、その都度、人手により内筒体の回動により連通孔の開閉操作を行う必要があり、操作が煩わしいものであった。【００１０】
本発明は、上記のような課題を解決するためになされたものであり、向流型（丸形）及び直交流型（角形）のいずれの冷却塔にも適用可能であり、固形水処理剤の有効成分を長期間にわたって徐放することができ、しかも、取り扱い上の簡便性や利便性にも優れた、冷却塔内で用いられる固形水処理剤用容器及びこれを備えた容器セット、また、前記容器又は前記容器セットを用いた水処理方法を提供することを目的とするものである。
【課題を解決するための手段】
【００１１】
本発明は、冷却塔内で用いられる固形水処理剤を適度に溶出させることができる容器について検討を重ね、向流型（丸形）及び直交流型（角形）のいずれの冷却塔にも好適に適用することができる特定の構造を見出したことに基づくものである。【００１２】
［固形水処理剤用容器］
本発明の固形水処理剤用容器は、冷却塔内に配置される固形水処理剤用容器であって、容器本体と、前記容器本体の内部を、前記固形水処理剤を収容する１つ以上の収容室と、前記固形水処理剤を収容しない非収容室とに区画する区画壁とを備え、前記容器本体は、該容器本体の外部と前記非収容室との間を冷却水が流通可能な１つ以上の容器連通路を有し、前記区画壁は、前記収容室と前記非収容室との間を冷却水が流通可能な１つ以上の区画壁連通路を有する。
このような容器は、向流型（丸形）及び直交流型（角形）のいずれの冷却塔においても適用し得る構成を有するものであり、収容室内の固形水処理剤を適度に溶出させることができるものである。【００１３】
容器本体の内部を区画する区画壁は、固形水処理剤を、容器本体内に流入する冷却水と直接的に接触させない役割を果たすものである。区画壁によって、収容室内の固形水処理剤は、冷却水との接触面積が抑制され、部分的に接触するため、溶出速度が抑制される。このため、容器外への固形水処理剤の有効成分の徐放性を発揮することができる。【００１４】
固形水処理剤が溶出した冷却水（以下、「溶出液」とも言う。）は、少なくとも一部が、区画壁連通路を通じて非収容室に流入する。すなわち、全溶出液が、容器外に直に流出するのではなく、一部の溶出液は、非収容室に一旦滞留してから容器外に放出される。このため、固形水処理剤を冷却塔内に剥き出しの状態で直接投入したり、非収容室を有しない従来の固形薬剤用の容器や装置等を用いたりする場合よりも、固形水処理剤の有効成分の冷却塔内への徐放性に優れ、また、固形水処理剤の溶け残り片や高濃度の溶出液が冷却塔内に接触することを防止することができ、前記有効成分の拡散性にも優れる。【００１５】
区画壁は、上下方向に延在した筒状体であることが好ましい。区画壁がこのような形状であれば、収容室内に固形水処理剤を収容及び追加補充しやすい。
また、区画壁連通路の少なくとも１つは、容器本体の底面まで延在していることが好ましい。容器本体の底面付近に区画壁連通路があることにより、容器本体内に流入した冷却水の水位が低い場合であっても、収容室と非収容室との間を冷却水及び溶出液が確実に流通することができる。【００１６】
容器連通路の少なくとも１つは、容器本体の天部にあることが好ましい。容器本体の天部に容器連通路があることにより、冷却塔内で散水された上方から落下する冷却水を容器本体に導きやすい。
また、容器連通路の少なくとも１つは、容器本体の底部にあることが好ましい。容器本体の底部に容器連通路があることにより、溶出液を容器下方に確実に放出させることができ、冷却塔の運転停止時に容器内に溶出液が滞留した状態となることを防止することができる。この場合、容器本体の底部外壁には、脚部が突設されていることが好ましい。脚部を有していることにより、容器が載置される状態であっても、容器本体の底部の容器連通路を閉塞されにくくすることができる。
また、容器連通路の少なくとも１つが、容器本体の側周部にあってもよい。【００１７】
固形水処理剤は、錠剤であることが好ましい。錠剤は、固形水処理剤を収容室内に収容する際に取り扱いやすく、また、固形水処理剤の溶出速度を抑制する観点からも好ましい。【００１８】
容器本体及び区画壁は、透明性を有していることが好ましい。透明性を有していることにより、容器内部の固形水処理剤の状態を、容器の外側から目視観察することができる。【００１９】
［固形水処理剤用容器セット］
本発明の固形水処理剤用容器セットは、上記の１つ以上の固形水処理剤用容器と、前記容器を個々に嵌め込み保持することが可能な貫通孔が設けられた枠体とを備えた固形水処理剤用容器セットであって、前記枠体は、該枠体に保持された前記容器の前記容器連通路が露出するように形成されているものである。
枠体を備えていることにより、容器の持ち運びや取り扱いが容易となり、特に、容器が複数の場合に、枠体により複数の容器を一体として取り扱うことができ、また、容器の転倒を防止しやすいため、利便性に優れている。【００２０】
枠体は、前記容器の少なくとも天部外壁が水面上に露出するように、該容器を水面に浮上保持可能な部材からなることが好ましい。枠体が「浮き」としての役割を果たすことにより、容器を冷却水ピット等の冷却水に浮かす態様で適用することができる。【００２１】
［水処理方法］
本発明の水処理方法の一態様は、上記の固形水処理剤用容器を用いた水処理方法であって、冷却塔内に、前記固形水処理剤を前記収容室内に収容した前記容器を、落下する冷却水が前記容器の天部外壁に当たるように配置し、前記冷却水が前記容器連通路を通って前記非収容室内に流入した後、前記非収容室内から前記区画壁流通路を通って前記収容室内に流入し、前記収容室内に流入した冷却水と接触した前記固形水処理剤が溶出し、前記固形水処理剤が溶出した冷却水が前記容器連通路を通って前記容器外へ流出することにより、冷却塔内の冷却水の水処理を行うものである。
このような方法によれば、冷却塔内で散水された上方から落下する冷却水を、容器本体内に流入した後、収容室内に導いて、固形水処理剤と冷却水とを接触させることができるため、容器外への固形水処理剤の有効成分の徐放性及び拡散性が発揮され得る。【００２２】
前記水処理方法においては、冷却塔内に消音マットが配置され、容器は、該消音マット上に載置されることが好ましい。冷却塔内で散水された上方から落下する冷却水が当たりやすい消音マットの上に、容器を載置しておくことにより、容器を安定した状態として冷却水を容器本体内に流入させやすい。【００２３】
本発明の水処理方法の他の態様は、上記の固形水処理剤用容器を用いた水処理方法であって、冷却塔内の冷却水ピット内の冷却水の水面上に、前記固形水処理剤を前記収容室内に収容した前記容器を、該容器の少なくとも天部外壁が水面上に露出するように浮かせ、  前記冷却水が前記容器連通路を通って前記非収容室内に流入した後、前記非収容室内から前記区画壁流通路を通って前記収容室内に流入し、前記収容室内に流入した冷却水と接触した前記固形水処理剤が溶出し、前記固形水処理剤が溶出した冷却水が前記容器連通路を通って前記容器外へ流出することにより、冷却塔内の冷却水の水処理を行うものである。
容器を水面上に浮かすことができる場合には、冷却水ピット内で容器を浮かせて、冷却水ピット内の冷却水を容器本体内に流入させた後、収容室内に導いて、固形水処理剤と冷却水とを接触させることができるため、容器外への固形水処理剤の有効成分の徐放性及び拡散性が発揮され得る。【００２４】
また、本発明の水処理方法の他の態様は、上記の固形水処理剤用容器セットを用いた水処理方法であって、冷却塔内に、前記固形水処理剤を前記収容室内に収容した前記容器セットを、落下する冷却水が前記容器の天部外壁に当たるように配置し、前記冷却水が前記容器連通路を通って前記非収容室内に流入した後、前記非収容室内から前記区画壁流通路を通って前記収容室内に流入し、前記収容室内に流入した冷却水と接触した前記固形水処理剤が溶出し、前記固形水処理剤が溶出した冷却水が前記容器連通路を通って前記容器外へ流出することにより、冷却塔内の冷却水の水処理を行うものである。
容器セットを用いることにより、容器のみを用いる上述した方法よりも、容器の持ち運びや取り扱いが容易となり、特に、容器が複数の場合に、枠体により複数の容器を一体として取り扱うことができ、また、容器の転倒を防止しやすいため、利便性に優れている。
特に、相互に反応性を有する２種以上の固形水処理剤を併用する場合に、これらの固形水処理剤をそれぞれ別々の容器に収容することにより、両者を一定の間隔を確実に保持した状態で、冷却塔内の冷却水中に溶出させることができるため、安全性の点でも好ましい。
このような容器セットを用いた水処理方法においても、上記の容器のみを用いた方法と同様に、冷却塔内に消音マットが配置され、前記容器セットが該消音マット上に載置されることが好ましい。【００２５】
さらに、本発明の水処理方法の他の態様は、上記の固形水処理剤用容器セットを用いた水処理方法であって、冷却塔内の冷却水ピット内の冷却水の水面上に、前記固形水処理剤を前記収容室内に収容した前記容器セットを、前記容器の少なくとも天部外壁が水面上に露出するように浮かせ、前記冷却水が前記容器連通路を通って前記非収容室内に流入した後、前記非収容室内から前記区画壁流通路を通って前記収容室内に流入し、前記収容室内に流入した冷却水と接触した前記固形水処理剤が溶出し、前記固形水処理剤が溶出した冷却水が前記容器連通路を通って前記容器外へ流出することにより、冷却塔内の冷却水の水処理を行うものである。
容器の少なくとも天部外壁が水面上に露出するように、該容器を水面に浮上保持可能な部材からなる枠体を用いる場合には、容器が複数の場合であっても、冷却水ピット内で容器セットとして一体で浮かすことができる。そして、上記の容器のみを用いた方法と同様に、冷却水ピット内の冷却水を容器本体内に流入した後、収容室内に導いて、固形水処理剤と冷却水とを接触させることができるため、容器外への固形水処理剤の有効成分の徐放性及び拡散性が発揮され得る。
また、特に、相互に反応性を有する２種以上の固形水処理剤を併用する場合に、これらの固形水処理剤をそれぞれ別々の容器に収容することにより、両者を一定の間隔を確実に保持した状態で、冷却塔内の冷却水中に溶出させることができるため、安全性の点でも好ましい。【００２６】
上記の水処理方法においては、ハロゲン系酸化剤の固形剤（Ａ）を固形水処理剤として収容した１つ以上の前記固形水処理剤用容器と、前記ハロゲン系酸化剤との反応性を有する有機系殺菌剤を含む固形剤（Ｂ）を固形水処理剤として収容した１つ以上の前記固形水処理用容器とを併用することが好ましい。
本発明の水処理方法は、固形水処理剤として、このような相互に反応性を有する２種の薬剤を併用する場合において、冷却塔内の冷却水の殺菌作用の持続効果を発揮させる観点から好適である。
固形水処理剤において、殺菌作用、特に、レジオネラ属菌に対する殺菌作用の観点から、ハロゲン系酸化剤は、有効成分として１−ブロモ−３−クロロ−５，５−ジメチルヒダントインを含み、有機系殺菌剤は、有効成分として５−クロロ−２−メチル−４−イソチアゾリン−３−オンを含むことが好ましい。
【発明の効果】
【００２７】
本発明の固形水処理剤用容器及びこれを備えた容器セットは、向流型（丸形）及び直交流型（角形）のいずれの冷却塔にも適用可能であり、固形水処理剤の有効成分を長期間にわたって徐放することができる。しかも、複雑な構成を要するものではなく、取り扱い上の簡便性や利便性にも優れている。
したがって、前記固形水処理剤用容器又はこれを備えた容器セットを用いる水処理方法によれば、冷却塔内の冷却水の水処理を簡便に行うことができる。また、固形水処理剤による薬剤効果を長期間にわたって持続させることができる。
【図面の簡単な説明】
【００２８】
【図１】本発明の固形水処理剤用容器の第１の実施形態の概略を示す斜視図である。
【図２】図１に示した容器の縦断面図である。
【図３】本発明の固形水処理剤用容器の第２の実施形態の概略を示す斜視図である。
【図４】図３に示した容器の縦断面図である。
【図５】本発明の固形水処理剤用容器セットの一の実施形態の概略を示す斜視図である。
【図６】図５に示した容器セットのセットされた状態の縦断面図である。
【図７】容器１０を用いた場合の本発明の水処理方法の第１の実施態様を説明するための縦断面図である。
【図８】容器１０を用いた場合の本発明の水処理方法の第２の実施態様を説明するための縦断面図である。
【発明を実施するための形態】
【００２９】
以下、本発明の実施形態について、図面を参照しながら、詳細に説明する。ただし、本発明は、下記実施形態に限定されるものではない。
【００３０】
［固形水処理剤用容器］
＜第１の実施形態＞
図１及び２に、本発明の固形水処理剤用容器の第１の実施形態の概略を示す。図１は、第１の実施形態に係る容器の斜視図であり、図２は、その縦断面図である。図１に示す容器１０は、略円筒状の容器本体１１と、該容器本体１１の内部を区画する区画壁１２とを備えている。図２に示すように、容器本体１１の内部は、下端が開口した円筒状の区画壁１２によって、固形水処理剤Ｓ１を収容する収容室１３と、固形水処理剤を収容しない非収容室１４とに区画されている。
【００３１】
（容器本体１１）
容器本体１１は、上部部材１１ａと下部部材１１ｂとが嵌合するように構成されている。容器本体は、収容室内に固形水処理剤の収容や追加補充をしやすいようにする観点から、このように分割可能であり、かつ、容易に一体化しやすい構造であることが好ましい。
容器本体の形状や大きさは、特に限定されるものではなく、固形水処理剤を収容することができ、冷却塔の大きさや容器の持ち運び、取り扱いやすさ等の観点から、適宜定めることができる。例えば、断面が円形状や楕円状、多角形状の筒状体や、外表面全体が丸みを帯びた形状等としてもよい。また、片手で持ち上げることができる程度の大きさであれば、取り扱いやすいため好ましい。
なお、下部部材１１ｂは、後述する容器セットとしての使用の便宜上の点から、上部の開口部にフランジ１８が設けられている。
また、収容室１３の天部となる部分の内壁、すなわち、上部部材１１ａの天部内壁には、筋状等の突起を設けてもよい。これにより、錠剤である固形水処理剤が前記天部内壁に固着することを防止し、また、容器本体の強度を高めることができる。
【００３２】
上部部材１１ａの天部、下部部材１１ｂの側周部の底部近傍、及び下部部材１１ｂの底部には、該容器本体１１の外部と非収容室１４との間を冷却水が流通可能な容器連通路１５ａ，１５ｂ及び１５ｃがそれぞれ設けられている。
なお、容器連通路は、冷却水が流通可能であれば、その形状や大きさ、配置、数は特に限定されるものではなく、冷却水の所望の流通量に応じて、適宜定めることができる。形状としては、例えば、丸孔状、角孔状、スリット状、網目状等にすることができる。容器本体１１のうち（本実施形態においては下部部材１１ｂ）の側周部に容器連通路が底部近傍に設けられる場合の「底部近傍」とは、容器本体１１の高さの下から１／３よりも低い高さ位置であればよい。
本実施形態においては、落下する冷却水が容器連通路１５ａに流れ込みやすいようにするため、上部部材１１ａの天部外壁は、容器連通路１５ａが形成されている部分の方が外周縁よりも低くなるように、凹状に形成されていている。
容器連通路１５ａは、非収容室１４の上方に配置されており、この容器連通路１５ａによって、非収容室１４は容器１０の外部と連通している。
【００３３】
下部部材１１ｂの底部外側には、環状の脚部１７が突設されている。
なお、脚部の形状や大きさは、特に限定されるものではなく、容器が載置された状態で、下部部材１１ｂの底部の容器連通路１５ｃが、載置面によって閉塞されないようすることができればよい。また、容器を安定して載置することができる形状であることが好ましい。形状としては、例えば、環状、貫通孔を有する環状、スリット入り環状、複数の円柱小突起、放射線状突起等とすることができる。
【００３４】
（区画壁１２）
区画壁１２は、円筒状体であり、上部部材１１ａの天部内壁から垂設されている。上部部材１１ａと下部部材１１ｂとが嵌合してなる容器本体１１において、円筒状体の区画壁１２の内側が収容室１３、外側が非収容室１４となる。
なお、区画壁は、容器本体の形状に応じて、該容器本体の側周部内壁や底部内壁に接して設けられていてもよい。また、必ずしも、容器本体に接している必要はなく、支持部材等を介して、容器本体内に、収容室及び非収容室を区画できるように形成されていればよい。区画壁の形状や厚さは、容器の使用時に収容室及び非収容室の空間を維持することができれば、特に限定されるものではない。区画壁の全体形状としては、例えば、断面が円形状や楕円状、多角形状の筒状体や、外表面全体が丸みを帯びた形状等としてもよい。
ただし、収容室は、容器の転倒を防止する観点から、固形水処理剤を収容した状態で、容器の下部の中心付近に重心がくるように設けられることが好ましい。
【００３５】
区画壁１２は、収容室１３に、錠剤である固形水処理剤Ｓ１を収容や追加補充しやすくする観点から、固形水処理剤Ｓ１の外周形状に合わせて、ゆとり（遊び）を持たせて収容できるように、その形状や大きさ、配置等が決められている。同様の観点から、例えば、収容室側の区画壁に縦筋状の突起等を設けてもよい。このような突起等は、固形水処理剤が、区画壁に固着することを防止する役割も果たすものである。
なお、本発明の容器に収容して使用される固形水処理剤の種類は、冷却塔の冷却水の水処理剤として用いることができる固形薬剤であれば、特に限定されるものではなく、水と接触した場合に溶出しやすいものであってもよい。また、固形水処理剤の形態も、特に限定されるものではないが、使用量の調整のしやすさや取り扱い容易性等の観点から、ペレット状やタブレット状等の錠剤又は顆粒状であることが好ましい。収容室への収容や追加補充のしやすさ、また、溶出速度を抑制する等の観点からは、錠剤がより好ましい。
【００３６】
区画壁１２は、下部部材１１ｂの底面には接しないように配置されている。円筒状体の区画壁１２の下端と、これと対向する下部部材１１ｂの底面との隙間が、収容室１３と非収容室１４との間を冷却水が流通可能な区画壁連通路１６となる。
なお、区画壁連通路は、冷却水が流通可能であれば、その形状や大きさ、配置、数は特に限定されるものではなく、冷却水の所望の流通量に応じて、適宜定めることができる。形状としては、例えば、丸孔状、角孔状、スリット状、網目状等にすることができる。また、区画壁が筒状体の場合において、該筒状体の下端と、これと対向する容器本体の底面とが接しており、前記筒状体と前記容器本体の底面との間の少なくとも一部に隙間を有するような態様で区画壁連通路が形成されていてもよい。
ただし、非収容室に流入した冷却水の水位が低い場合であっても、収容室と非収容室との間の冷却水の流通をより確実にする観点から、区画壁連通路は、少なくとも１つが、容器本体の底面まで延在していることが好ましい。
【００３７】
容器１０は、半透明のポリプロピレン製である。
容器内部の固形水処理剤の状態を容器外側から簡便に目視観察できるようにする観点から、容器本体及び区画壁は、透明性を有することが好ましい。また、冷却塔内で使用するため、取り扱いやすさや耐水性等の観点から、プラスチック製であることが好ましい。
【００３８】
＜第２の実施形態＞
図３及び４に、本発明の固形水処理剤用容器の第２の実施形態の概略を示す。図３は、第２の実施形態に係る容器の斜視図であり、図４は、その縦断面図である。図３に示す容器２０は、容器本体２１が、横断面が繭形の筒状体である。図４に示すように、容器本体２１の内部は、下端が開口した円筒状の区画壁２２によって、固形水処理剤Ｓ２を収容する２つの収容室２３と、固形水処理剤を収容しない非収容室２４とに区画されている。
容器本体２１は、上述した容器１０の容器本体１１と同様に、上部部材２１ａと、下部部材２１ｂとが嵌合するように構成されている。下部部材２１ｂも、上述した容器１０と同様に、後述する容器セットとしての使用の便宜上の点から、上部の開口部にフランジ２８が設けられている。
上部部材２１ａの天部、下部部材２１ｂの側周部の底部近傍、及び下部部材２１ｂの底部には、該容器本体２１の外部と非収容室２４との間を冷却水が流通可能な容器連通路２５ａ，２５ｂ及び２５ｃがそれぞれ設けられている。容器連通路２５ｂ及び２５ｃの流路総断面積は、容器連通路１５ｂ及び１５ｃの流路総断面積よりも小さい。このため、容器２０は、固形水処理剤の溶出速度をより抑制したい場合に、容器１０よりも好適な構造である。
また、下部部材２１ｂの底部外側には、環状の脚部２７が設けられている。
それ以外の構成は、上述した容器１０の各構成と同様である。
【００３９】
［固形水処理剤用容器セット］
図５及び６に、本発明の固形水処理剤用容器セットの実施形態の概略を示す。図５に示す固形水処理剤用容器セット４０は、図１及び２に示した容器１０と、図３及び４に示した容器２０とを、枠体３０に嵌め込んで一体化させたものである。容器１０及び容器２０は、各容器のフランジ１８及び２８が、枠体３０の各容器を嵌め込む貫通孔の内壁で係止されることによって、枠体３０から抜け落ちないように、また、容器１０及び容器２０の脚部１７及び２７が同一平面で支持可能となるように保持されている。容器１０及び容器２０のそれぞれの容器連通路はいずれも、枠体３０で覆われることなく、露出した状態である。
【００４０】
容器セットは、容器が１つのみであっても、２つ以上の容器がセットされたものであってもよい。容器が２つ以上である場合は、各容器に収容される固形水処理剤は、同一種類であっても、容器ごとに異なる種類であってもよい。また、セットする容器は、本発明に係る固形水処理剤用容器であり、本実施形態においては、容器１０を２つと、容器２０を１つ用いているが、容器の具体的な形態や配置、数は、該容器内に収容する固形水処理剤の溶出速度や薬剤効果等に応じて、適宜選択することができる。
【００４１】
枠体３０は、発泡スチロール製であり、容器１０及び容器２０の少なくとも天部外壁が水面上に露出するように、これらの容器を枠体３０とともに水面上に浮かすことができる。
枠体の材質は、容器セットを水に浮かす観点からは、軽量で、耐水性を有することが好ましい。また、取り扱い性やコスト等の観点から、例えば、軽量プラスチックや発泡プラスチック等を用いることができる。
また、枠体３０は、外周に握り部３１を有している。このような握り部や取っ手等を有していれば、容器セットの持ち運びや取り扱いをしやすくすることができる。
枠体は、各容器をそれぞれ別々に、かつ、これらの容器の容器連通路を覆わない状態で保持することができれば、その形態は特に限定されるものではない。また、１つの部材からなるものに限られず、２つ以上の部材が組み合わされて構成されるものであってもよい。
【００４２】
［水処理方法］
＜第１の実施態様＞
図７に基づいて、容器１０を用いて冷却塔内の冷却水の水処理を行う場合の本発明の水処理方法の第１の実施態様について説明する。図７中の矢印は、冷却水の流れ方向を示している。
第１の実施態様では、固形水処理剤Ｓ１を収容室１３内に収容した容器１０を、落下する冷却水が容器１０の天部外壁に当たるように、冷却塔内に配置する。
向流型（丸形）冷却塔において、消音マットが配置されている場合は、その上に載置することが好ましい。また、散水板の上等でもよい。また、吊紐や架台等の支持部材を用いて、冷却塔内に配置することもできる。
また、直交流型（角形）冷却塔においても、冷却塔内、例えば、冷却塔側周部のルーバー近傍に容器１０の載置部を設けて、該載置部に容器１０を配置してもよい。このような態様においては、該冷却塔の充填材から容器１０の天部に冷却水を誘導するように、例えば、樋等を設けることが好ましい。
【００４３】
そして、冷却水が容器連通路１５ａを通って非収容室１４内に流入し、非収容室１４内から区画壁流通路１６を通って収容室１３内に流入する。収容室１３内の固形水処理剤Ｓ１は、流入してきた冷却水と接触して溶出する。この固形水処理剤Ｓ１が溶出した冷却水（溶出液）が、容器連通路１５ｂ及び１５ｃを通って容器１０外へ流出する。このような冷却水の流れにより、固形水処理剤を用いて、冷却塔内の冷却水の水処理を行う。
なお、非収容室の大きさや冷却水の流入速度と流出速度によって、非収容室内に滞留する冷却水の量は変動するが、滞留量が多いほど、固形水処理剤の溶出速度を抑制することができる。
【００４４】
このような実施態様において、容器連通路１５ａ通って流入する冷却水が滴下する場合、水滴が容器１０内ではね返り、飛散しやすいが、区画壁１２によって、該区画壁１２で囲繞されている部分の固形水処理剤Ｓ１に冷却水が当たることが防止され、固形水処理剤Ｓ１の溶出速度を抑制することができる。
ただし、固形水処理剤Ｓ１の溶出速度を促進したい場合には、容器本体１１の外部から収容室１３に直接、冷却塔内で落下する冷却水が流入する位置、すなわち、容器１０の天部の中央付近に、所望の溶出速度に応じて、冷却水流入路を設けるようにしてもよい。
【００４５】
＜第２の実施態様＞
図８に基づいて、容器１０を用いて冷却塔内の冷却水の水処理を行う場合の本発明の水処理方法の第２の実施態様について説明する。図８中の矢印は、冷却水の流れ方向を示している。
第２の実施態様では、固形水処理剤Ｓ１を収容室１３内に収容した容器１０を、冷却塔内の冷却水ピット内の冷却水の水面上に、該容器１０の少なくとも天部外壁が水面上に露出するように浮かす。冷却水ピットは、散水される冷却水が貯水される上部ピットでも、下部ピットでもよい。
本実施態様においては、容器が水面上に浮くような材質や形態である必要がある。容器のみで浮くことが困難である場合は、上述したような「浮き」の役割を果たす枠体を併用した容器セットを使用することにより、容器を浮かすことができる。
容器が広範囲に浮遊することを防止するために、該容器を係留したり、浮遊域を固定する柵等を設けたりしてもよい。
【００４６】
そして、冷却水が容器連通路１５ｂ及び１５ｃを通って非収容室１４内に流入し、非収容室１４内から区画壁流通路１６を通って収容室１３内に流入する。収容室１３内の固形水処理剤Ｓ１は、流入してきた冷却水と接触して溶出する。この固形水処理剤Ｓ１が溶出した冷却水（溶出液）が、容器連通路１５ｂ及び１５ｃを通って容器１０外へ流出する。このような冷却水の流れにより、固形水処理剤を用いて、冷却塔内の冷却水の水処理を行う。
本実施態様においては、容器連通路１５ａは、通気口としての役割を果たす。ただし、容器１０の天部外壁に、落下する冷却水が当たる場合には、容器連通路１５ａからも、冷却水が非収容室１４内に流入することがある。
【００４７】
なお、容器２０やその他の実施形態に係る本発明の固形水処理用容器を用いた場合においても、上記の第１及び第２の実施態様と同様にして、本発明の水処理方法を行うことができる。
【００４８】
＜第３の実施態様＞
本発明の水処理方法の第３の実施態様は、上述した実施形態に係る固形水処理剤用容器セットを用いて行うものである。第１の実施態様において用いた容器１０に変えて、容器セット４０を用い、それ以外は第１の実施態様と同様にして、本発明の水処理方法を行うことができる。
このような容器セットを用いれば、固形水処理剤を１種のみを用いる場合に限らず、２種以上を用いて水処理を行う場合に、これらの固形水処理剤を収容した各容器を一体として取り扱うことができ、また、容器の転倒を防止しやすいため、利便性に優れている。
【００４９】
本実施態様においては、容器２０に、有効成分として１−ブロモ−３−クロロ−５，５−ジメチルヒダントインを含む固形剤（Ａ）を、固形水処理剤Ｓ２として収容し、２つの容器１０のそれぞれに、有効成分として５−クロロ−２−メチル−４−イソチアゾリン−３−オンを含む固形剤（Ｂ）を、固形水処理剤Ｓ１として収容する。冷却水中のレジオネラ属菌に対する殺菌作用の観点から、これらの２種の薬剤の併用が好適である。
ここでは、固形剤（Ａ）の方が、固形剤（Ｂ）よりも、水と接触した際に溶出しやすいため、固形剤（Ａ）及び（Ｂ）の溶出速度を制御する観点から、容器１０に固形剤（Ｂ）を収容し、溶出速度をより抑制しやすい容器２０に固形剤（Ａ）を収容する。
固形剤（Ａ）はハロゲン系酸化剤であり、固形剤（Ｂ）は前記ハロゲン系酸化剤との反応性を有する有機系殺菌剤であり、固形剤（Ａ）と固形剤（Ｂ）とが接触した状態で水処理を行うと、塩素ガスを生じる。これに対して、本実施態様によれば、固形剤（Ａ）及び固形剤（Ｂ）を、互いに接触しない状態を確実に保つことができ、安全かつ効果的に水処理を行うことができる。
【００５０】
＜第４の実施態様＞
本発明の水処理方法の第４の実施態様も、上述した実施形態に係る固形水処理剤用容器セットを用いて行うものである。第２の実施態様において用いた容器１０に変えて、容器セット４０を用いて、それ以外は第２の実施態様と同様にして、本発明の水処理方法を行うことができる。
冷却水ピットに容器を浮かす態様で水処理を行う場合は、容器を水面に浮上保持可能な部材からなる枠体を備えた容器セットを用いる方が、容器のみで浮かす場合よりも、転覆しにくくすることができ、容器の安定性を確保する観点から好ましい。
【実施例】
【００５１】
以下、本発明を実施例により具体的に説明するが、本発明は下記実施例により限定されるものではない。【００５２】
（実施例１）
冷凍能力２０ＵＳＲＴ、８時間／日稼働、冷却水の水温３０℃の向流型（丸形）開放式冷却塔内の消音マット上に、固形水処理剤を収容したポリプロピレン製の固形水処理剤用容器を載置し、持続性評価試験を行った。
持続性評価試験は、所定の経過日数ごとに、容器内に残留している固形水処理剤を取り出して、その重量を測定し、日数の経過に伴う残留重量の変化を確認することにより行った。
使用した容器及び固形水処理剤の詳細は、以下のとおりである。
＜容器＞
図３及び４に示すような２つの収容室を有する容器
・外形サイズ：長径１２．７ｃｍ、短径８．０ｃｍ、高さ７．０ｃｍ
・上部部材２１ａの天部の容器連通路：直径５．５ｍｍの丸孔８個、孔総面積１．９ｃｍ2
・下部部材２１ｂの側周部の底部近傍の容器連通路：直径５ｍｍの丸孔６個、丸孔の中心位置が下部部材２１ｂの底部内面より高さ１２ｍｍ
・下部部材２１ｂの底部の容器連通路：直径２．５ｍｍの丸孔２個
・区画壁連通路：筒状体の区画壁２２の下端と下部部材２１ｂの底部内面との隙間７ｍｍ
＜固形水処理剤＞
１−ブロモ−３−クロロ−５，５−ジメチルヒダントイン（固形剤（Ａ））；直径３１ｍｍ、高さ１７．５ｍｍ、２０ｇの円形錠剤；収容室１つ当たり３錠重ね【００５３】
（比較例１）
固形水処理剤用容器として、下記に示すような容器を用い、該容器内に実施例１と同様の固形水処理剤を３錠重ねで２列に載置した。この固形水処理剤を収容した容器を用いて、それ以外については実施例１と同様にして、持続性評価試験を行った。
＜容器＞
実施例１の容器と同様の外形を有し、容器本体内部に区画壁を有しないポリプロピレン製容器
・上部部材２１ａの天部全体に、直径３．７ｍｍの丸孔１６個、孔総面積１．７ｃｍ2
・下部部材２１ｂの底部全体に、直径３．７ｍｍの丸孔１６個【００５４】
（比較例２）
固形水処理剤用容器として、下記に示すような容器を用い、該容器内に実施例１と同様の固形水処理剤を３錠重ねで２列に載置した。この固形水処理剤を収容した容器を用いて、それ以外については実施例１と同様にして、持続性評価試験を行った。
＜容器＞
実施例１の容器と同様の外形を有し、容器本体内部に区画壁を有しないポリプロピレン製容器
・上部部材２１ａの天部全体に、直径２．５ｍｍの丸孔１６個、孔総面積０．８ｃｍ2
・下部部材２１ｂの底部全体に、直径２．５ｍｍの丸孔１６個【００５５】
（比較例３）
固形水処理剤用容器として、下記に示すような容器を用い、該容器内に実施例１と同様の固形水処理剤を３錠重ねで２列に載置した。この固形水処理剤を収容した容器を用いて、それ以外については実施例１と同様にして、持続性評価試験を行った。
＜容器＞
実施例１の容器と同様の外形を有し、容器本体内部に区画壁を有しないポリプロピレン製容器
・上部部材２１ａの天部全体に、直径２．５ｍｍの丸孔１６個、孔総面積０．８ｃｍ2
・下部部材２１ｂの側周部の底部近傍に、直径３．７ｍｍの丸孔１６個、丸孔中心位置：下部部材２１ｂの底部内面より高さ７ｍｍ
・下部部材２１ｂの底部全体に、直径２．５ｍｍの丸孔２個
・上部部材２１ａの天部の丸孔を通って容器内に流入する冷却水が３錠重ね２列の固形水処理剤の上面に直接当たらないようにするための遮蔽板を、該固形水処理剤の上方に位置するように、上部部材２１ａの内側下面に取り付けた。【００５６】
（比較例４）
固形水処理剤用容器として、下記に示すような容器を用い、該容器内に実施例１と同様の固形水処理剤を３錠重ねで２列に載置した。この固形水処理剤を収容した容器を用いて、それ以外については実施例１と同様にして、持続性評価試験を行った。
＜容器＞
実施例１の容器と同様の外形を有し、容器本体内部に区画壁を有しないポリプロピレン製容器
・上部部材２１ａの天部の外周部（３錠重ね２列の固形水処理剤の直上部以外）に、直径２．５ｍｍ丸孔１６個、孔総面積０．８ｃｍ2、
・下部部材２１ｂの側周部の底部近傍に、直径３．７ｍｍの丸孔１６個、丸孔中心位置：下部部材２１ｂの底部内面より高さ７ｍｍ
・下部部材２１ｂの底部全体に、直径２．５ｍｍの丸孔２個【００５７】
上記実施例及び比較例の持続性評価試験の結果、容器内の固形水処理剤は、比較例１では約５日間、比較例２では約１２日間、比較例３では約２６日間、比較例４では約２５日間で、いずれも溶け切った。
これに対して、実施例１では、約３ヶ月間にわたって徐々に固形水処理剤が溶出することが認められた。これにより、冷却水に固形水処理剤の有効成分を経時安定的に供給することができ、容器の交換又は固形水処理剤の追加補充等が１シーズン（３ヶ月）不要となるため、冷却塔内の冷却水の水処理における作業負担を軽減することも可能となる。
【符号の説明】
【００５８】
１０，２０  固形水処理用容器
１１，２１  容器本体
１２，２２  区隔壁
１３，２３  収容室
１４，２４  非収容室
１５ａ，１５ｂ，１５ｃ，２５ａ，２５ｂ，２５ｃ  容器連通路
１６，２６  区画壁連通路
１７，２７  脚部
１８，２８  フランジ
３０        枠体
３１        握り部
４０        固形水処理用容器セット
Ｓ１，Ｓ２  固形水処理剤
【図１】
2018038090.tif 000003
【図２】
2018038090.tif 000004
【図３】
2018038090.tif 000005
【図４】
2018038090.tif 000006
【図５】
2018038090.tif 000007
【図６】
2018038090.tif 000008
【図７】
2018038090.tif 000009
【図８】
2018038090.tif 000010
【国際調査報告】
2018038090.tif 000011
2018038090.tif 000012
2018038090.tif 000013
2018038090.tif 000014
2018038090.tif 000015
2018038090.tif 000016